(57)【特許請求の範囲】
【請求項１】
穀稈を脱穀処理する扱胴（１２）の後端側に、前端を近接させ且つオフセットさせて軸心を中心に回転する回転体（２６）を支持し、該回転体（２６）の外周に上記扱胴（１２）からの処理物を受け継ぎ上記軸心方向後方に搬送せしめるスパイラル状の移送らせん（２９）を取り付けたコンバイン用処理胴において、移送らせん（２９）の搬送始端側に耐摩耗性部材（３１）を着脱交換自在に取り付けたコンバイン用処理胴。
【請求項２】
耐摩耗性部材（３１）を回転体（２６）における移送始端部外周に突出せしめた請求項１のコンバイン用処理胴。
【発明の詳細な説明】
【０００１】
【発明の属する技術分野】
この発明は扱胴等の回転体にスパイラル状の移送らせんを取り付けて構成したコンバイン用処理胴に関する。
【０００２】
【従来の技術】
従来コンバインやバインダ等に備えられる脱穀装置には、穀粒脱穀用の第１扱胴及び該第１扱胴により脱穀処理された後の穀粒を受け継ぎ再度脱穀処理を行う第２扱胴（処理胴）が設けられたものがあり、略中心に設けられた支持軸を中心に脱穀のために回転する回転体である該第２扱胴には、第２扱胴の移送始端側に第２扱胴側に処理すべき穀粒を移送案内するスパイラル状の移送らせんが取り付けられたものがあった。
【０００３】
【発明が解決しようとする課題】
しかし上記移送らせんは前述のようにスパイラル状であるため、変形すると第２扱胴への取り付けが困難となるので、熱変形防止のために通常熱処理(熱硬化処理)は行われない。このため上記移送らせんの硬度は比較的低く、脱穀時の砂等により移送らせんの始端側が容易に摩耗するという欠点があった。
【０００４】
【課題を解決するための手段】
上記課題を解決するために本発明のコンバイン用処理胴は、穀稈を脱穀処理する扱胴１２の後端側に、前端を近接させ且つオフセットさせて軸心を中心に回転する回転体２６を支持し、該回転体２６の外周に上記扱胴１２からの処理物を受け継ぎ上記軸心方向後方に搬送せしめるスパイラル状の移送らせん２９を取り付けたコンバイン用処理胴において、移送らせん２９の搬送始端側に耐摩耗性部材３１を着脱交換自在に取り付けたことを第１の特徴としている。
【０００５】
また耐摩耗性部材３１を回転体２６における移送始端部外周に突出せしめたことを第２の特徴としている。
【０００６】
【発明の実施の形態】
次に本発明の１実施形態を図面に基づいて説明する。図１は本発明が採用された脱穀装置を搭載したコンバインの正面斜視図であり、該コンバインは走行装置２に支持された機体１の前方に穀稈刈り取り用の前処理部３が設けられていると共に、該前処理部３の後方に脱穀装置４が配置されている。また該脱穀装置４の側方（右側方）には運転席６及び脱穀済みの穀粒を一時的に貯蔵するグレンタンク７が設けられている。
【０００７】
一方図２〜図４は本発明を応用した脱穀装置４の左側面透視図，平面透視図，正面透視図であり、該脱穀装置４は刈取穀稈を脱穀する脱穀部８と、該脱穀された穀粒を選別する選別部９等で構成されており、上記脱穀部８には、前処理部３により刈り取られた刈取穀稈を受け継ぎ、扱室に沿って搬送するフィードチェーン１１と、該搬送された穀稈を脱穀処理する扱胴１２等が備えられている。
【０００８】
また上記扱胴１２の後方には、平面視において扱胴１２に対してオフセットせしめて扱胴１２により脱穀処理された後の穀粒を再度脱穀せしめる処理胴（第２扱胴）１３が回転自在に支持されており、これにより従来同様扱胴１２で脱穀した後に再度処理胴１３で脱穀処理を行い比較的高効率で脱穀作業が行われるように構成されている。
【０００９】
このとき上記脱穀装置４における扱胴１２の前方には、従来同様刈取穀稈挿入用の開口した入口部１４が形成せしめられており、上方側が金属等からなる固定カバー１６により覆われていると共に、下方側が合成樹脂（ターポリン）により形成せしめられたカバー１７により覆われている。なおカバー１７は上記のようにターポリン製であるため揺動自在であり、刈取穀稈挿入時に前後方向に揺動して扱胴１２への穀稈搬送を許容する。
【００１０】
一方カバー１７は固定カバー１６内に形成せしめられた扱胴伝動系のカバー（プーリカバー）１８に取り付けられているが、上記プーリカバー１８は固定カバー１６とともに搬送される穀稈の穂先側（機体内側）がＬ状に折り曲げられており、カバー１７も機体内側においてＬ状に折り曲げられて取り付けられている。
【００１１】
つまり図５に示されるようにカバー１７は、前方側が板状の押え板１９とプーリカバー１８にカバー１７が狭持されて押え板１９の外側から座の部分にスポット溶接（プロジェクション溶接）用の突起（プロジェクション）が形成せしめられたボルト状のプロジェクションボタン２０が挿入され、またＬ字状に折り曲げられた側方がカバー１７の外側から上記プロジェクションボタン２０が各挿入され、それぞれプーリカバー１８の内側においてナット２１により固定されている。
【００１２】
このときカバー１７の側方における固定部分において、プロジェクションボタン２０の座の部分の突起がカバー１７に食い込みプーリカバー１８にまで達するため、プロジェクションボタン２０とナット２１の固定及びカバー１７の固定が安定して行われ、側方においては押え板１９相当の部材が不要となるため部品点数の減少も図られる。
【００１３】
以上によりカバー１７は搬送される穀稈の穂先側（機体内側）がＬ状に折り曲げられているため、籾がカバー１７と機体１における脱穀装置４の側方のカバー（側カバー）との間から跳ね出すこと等が防止されている。なおカバー１７の側カバー側端部（Ｌ状の折り曲げ端）は側カバーから離反しており、カバー１７は前後方向の揺動が妨げられず、刈取穀稈は容易に扱胴１２側に搬送される。
【００１４】
一方上記処理胴１３は図６に示されるように従来同様ドラム状の回転体２６の周面に脱穀用の突起２５が突設された構造となっており、回転体（ドラム）２６の前後端にはドラム２６の径より大径なプレート状の端板２７が取り付けられている。そして処理胴１３（ドラム２６）は、ドラム２６の中心に設けられた回転軸２８を軸心（支軸）として回転駆動自在に支持されているが、図２，図３に示されるように処理胴１３の前端側が扱胴１２の後端側に近接しており、処理胴１３の前端側が扱胴１２による脱穀処理後の処理物（処理胴１３により再脱穀されるべきもの）を受け継ぐ移送始端側となっている。
【００１５】
なお上記処理胴１３の前端（移送始端）側には、処理物の搬送経路下手側（処理胴１３の後方側）に向かって延出するスパイラル状の移送らせん２９がドラム２６の周面に溶着されて取り付けられており、扱胴１２で脱穀処理された後の処理物が移送らせん２９に案内されて処理胴１３の周面を搬送経路下手側に向かって移送案内され、処理胴１３により再度脱穀処理されるように構成されている。
【００１６】
このとき上記移送らせん２９における移送始端（前端）側には、板状の耐摩耗性部材（プレート）３１がボルト３２等により着脱自在に固定されており、該プレート３１はプレート３１の移送始端側の端部３１ａが処理胴１３の前端端板２７の外周に突出せしめられている。なお上記プレート３１は熱処理（焼き入れ）により硬度が高められており、耐摩耗性が保たれている。
【００１７】
これにより処理胴１３に受け継がれる処理物は前述のように移送らせん２９に案内されて処理胴１３側（後方）に移送されるが、処理物は移送らせん２９の移送始端において、プレート３１と当接し、移送らせん２９（本体）の始端部分との当接が減少せしめられる。
【００１８】
このため処理物に含まれる砂等による移送らせん２９の始端部分への当接時のエネルギーはプレート３１が受けるが、前述のようにプレート３１は熱処理され耐摩耗性が向上せしめられた耐摩耗性部材であるため容易に摩耗することはなく、結局移送らせん２９の始端部分の摩耗が防止され、移送らせん２９の移送性能が保持される。このときプレート３１の移送始端側が処理胴１３の前端端板２７の外周方向に突出しているため、処理物内のわらくず等の処理胴１３側（ドラム２６等）への巻き付き等も防止される。
【００１９】
このため移送らせん２９を熱処理等により必要以上に硬化する必要が無く、移送らせん２９の加工・製造等が容易となるほか、処理物によるプレート３１の摩耗時にはプレート３１の交換ですむが、上記のようにプレート３１は、平板状であるため熱変形による移送らせん２９側への取り付けへの影響が少なく、これにより熱処理（高硬度化）を容易に行うことができ、製造及び加工等が容易であるほか、移送らせん２９に対する着脱が容易であり、交換作業が容易となる。
【００２０】
【発明の効果】
以上のように構成される本発明の構造によれば、例えば熱処理を施した高硬度の耐摩耗性部材が移送らせんの始端側に取り付けられることで、最初に耐摩耗性部材と処理物とが当接するため、移送らせんの摩耗が防止され、処理物の案内作動等が安定して行われる他、移送らせん自体の硬度を必要以上に高くする必要が無いため、移送らせんの加工が容易であるという効果がある。
【００２１】
また耐摩耗性部材の摩耗時には、耐摩耗性部材の交換のみで済み、移送らせんの交換は不要であるため、交換作業が容易であり、且つ低コストとなる。さらに移送らせんの始端部分が回転体の始端部分の外周に突出することで、処理物内に含まれるくず等の回転体への巻き付きが防止される。
【図面の簡単な説明】
【図１】コンバインの正面斜視図である。
【図２】脱穀装置の側面透視図である。
【図３】脱穀装置の平面透視図である。
【図４】脱穀装置の正面透視図である。
【図５】カバーの取付状態を示す平面部分断面図である。
【図６】処理胴の平面図である。
【符号の説明】
２６    ドラム（回転体）
２９    移送らせん
３１    プレート（耐摩耗性部材）
【図１】
0004041231.tif 000002
【図２】
0004041231.tif 000003
【図３】
0004041231.tif 000004
【図４】
0004041231.tif 000005
【図５】
0004041231.tif 000006
【図６】
0004041231.tif 000007